(57)【要約】【課題】可搬型無線伝送機器においてＬＤＰＣ符号とＱＡＭが適用された場合の適切なビットインタリーブ処理を行う。【解決手段】符号化ブロックをＱＡＭによって無線で送信する送信装置は、ＬＤＰＣパリティにインタリーブ処理が行われた符号化ブロックの全体に対してインタリーブ処理を行うブロックインタリーブ部を具備する。ブロックインタリーブ部は、パリティインタリーブが出力するビット列を、メモリに構成される行列に列方向に書き込む列方向書き込み処理と、列入れ替えテーブルを用いて、行列の各列を他の列と入れ替える列入れ替え処理と、列入れ替え処理後の行列に含まれる各ビットを行方向に読み出す行方向読み出し処理と、を行う。ブロックインタリーブ部は、同一の変調多値数についてＬＤＰＣ符号化率ごとに異なる列入れ替えテーブルを用いて列入れ替え処理を行う。【選択図】図４
2019121935.tif 000002
【特許請求の範囲】
【請求項１】
ＬＤＰＣ符号化処理によって生成した符号化ブロックをＱＡＭによって無線で送信する送信装置であって、
前記符号化ブロックのＬＤＰＣパリティのみに対してインタリーブ処理を行うパリティインタリーブ部と、
前記ＬＤＰＣパリティにインタリーブ処理が行われた前記符号化ブロックの全体に対してインタリーブ処理を行うブロックインタリーブ部と、を具備し、
前記ブロックインタリーブ部は、
前記パリティインタリーブ部が出力するビット列を、メモリに構成される行列に列方向に書き込む列方向書き込み処理と、
列入れ替えテーブルを用いて、前記行列の各列を他の列と入れ替える列入れ替え処理と、
前記列入れ替え処理後の行列に含まれる各ビットを行方向に読み出す行方向読み出し処理と、を行い、
前記列入れ替えテーブルは、前記列入れ替え処理における元の列番号と入れ替え先列番号との対応関係を規定し、
前記ブロックインタリーブ部は、同一の変調多値数についてＬＤＰＣ符号化率ごとに異なる前記列入れ替えテーブルを用いて、前記列入れ替え処理を行うことを特徴とする送信装置。
【請求項２】
前記ブロックインタリーブ部は、前記行列の列数を増加させる列数変更処理をさらに行い、
前記列入れ替え処理において、前記列入れ替えテーブルを用いて、前記列数変更処理後の行列の各列を他の列と入れ替えることを特徴とする請求項１に記載の送信装置。
【請求項３】
前記ブロックインタリーブ部は、前記ＱＡＭとして４０９６ＱＡＭを用い、かつ、前記ＬＤＰＣ符号化率が１／２である場合に、前記列入れ替えテーブルとして表１のテーブルを用いて前記列入れ替え処理を行うことを特徴とする請求項１又は２に記載の送信装置。
【表１】
2019121935.tif 000023
【請求項４】
前記ブロックインタリーブ部は、前記ＱＡＭとして４０９６ＱＡＭを用い、かつ、前記ＬＤＰＣ符号化率が２／３である場合に、前記列入れ替えテーブルとして表２のテーブルを用いて前記列入れ替え処理を行うことを特徴とする請求項１〜３のいずれか一項に記載の送信装置。
【表２】
2019121935.tif 000024
【請求項５】
前記ブロックインタリーブ部は、前記ＱＡＭとして４０９６ＱＡＭを用い、かつ、前記ＬＤＰＣ符号化率が３／４である場合に、前記列入れ替えテーブルとして表３のテーブルを用いて前記列入れ替え処理を行うことを特徴とする請求項１〜４のいずれか一項に記載の送信装置。
【表３】
2019121935.tif 000025
【請求項６】
前記ブロックインタリーブ部は、前記ＱＡＭとして４０９６ＱＡＭを用い、かつ、前記ＬＤＰＣ符号化率が５／６である場合に、前記列入れ替えテーブルとして表４のテーブルを用いて前記列入れ替え処理を行うことを特徴とする請求項１〜５のいずれか一項に記載の送信装置。
【表４】
2019121935.tif 000026
【請求項７】
ＬＤＰＣ符号化処理によって生成した符号化ブロックをＱＡＭによって無線で送信する送信装置から無線信号を受信する受信装置であって、
前記符号化ブロックの全体に対してデインタリーブ処理を行うブロックデインタリーブ部と、
前記ブロックデインタリーブ部によってデインタリーブ処理が行われた前記符号化ブロックのＬＤＰＣパリティのみに対してデインタリーブ処理を行うパリティデインタリーブ部と、を具備し、
前記ブロックデインタリーブ部は、
前記符号化ブロックを構成するビット列を、メモリに構成される行列に行方向に書き込む行方向書き込み処理と、
列入れ替えテーブルを用いて、前記行列の各列を他の列と入れ替える列入れ替え処理と、
前記行列に含まれる各ビットを列方向に読み出す列方向読み出し処理と、を行い、
前記列入れ替えテーブルは、前記列入れ替え処理における元の列番号と入れ替え先列番号との対応関係を規定し、
前記ブロックデインタリーブ部は、同一の変調多値数についてＬＤＰＣ符号化率ごとに異なる前記列入れ替えテーブルを用いて、前記列入れ替え処理を行うことを特徴とする受信装置。
【請求項８】
前記ブロックデインタリーブ部は、前記列入れ替え処理後の前記行列の列数を減少させる列数変更処理をさらに行い、
前記列方向読み出し処理において、前記列数変更処理後の前記行列に含まれる各ビットを列方向に読み出すことを特徴とする請求項７に記載の受信装置。
【請求項９】
前記ブロックデインタリーブ部は、前記ＱＡＭとして４０９６ＱＡＭを用い、かつ、前記ＬＤＰＣ符号化率が１／２である場合に、前記列入れ替えテーブルとして表５のテーブルを用いて前記列入れ替え処理を行うことを特徴とする請求項７又は８に記載の受信装置。
【表５】
2019121935.tif 000027
【請求項１０】
前記ブロックデインタリーブ部は、前記ＱＡＭとして４０９６ＱＡＭを用い、かつ、前記ＬＤＰＣ符号化率が２／３である場合に、前記列入れ替えテーブルとして表６のテーブルを用いて前記列入れ替え処理を行うことを特徴とする請求項７〜９の何れか一項に記載の受信装置。
【表６】
2019121935.tif 000028
【請求項１１】
前記ブロックデインタリーブ部は、前記ＱＡＭとして４０９６ＱＡＭを用い、かつ、前記ＬＤＰＣ符号化率が３／４である場合に、前記列入れ替えテーブルとして表７のテーブルを用いて前記列入れ替え処理を行うことを特徴とする請求項７〜１０のいずれか一項に記載の受信装置。
【表７】
2019121935.tif 000029
【請求項１２】
前記ブロックデインタリーブ部は、前記ＱＡＭとして４０９６ＱＡＭを用い、かつ、前記ＬＤＰＣ符号化率が５／６である場合に、前記列入れ替えテーブルとして表８のテーブルを用いて前記列入れ替え処理を行うことを特徴とする請求項７〜１１のいずれか一項に記載の受信装置。
【表８】
2019121935.tif 000030
【発明の詳細な説明】
【技術分野】
【０００１】
本発明は、無線伝送システムにおける送信装置及び受信装置に関する。
【背景技術】
【０００２】
現在、次世代のテレビジョン放送素材伝送用の可搬型無線伝送機器の検討が進められている。かかる可搬型無線伝送機器では、キャリア変調方式として、６４ＱＡＭ（Ｑｕａｄｒａｔｕｒｅ  Ａｍｐｌｉｔｕｄｅ  Ｍｏｄｕｌａｔｉｏｎ）、２５６ＱＡＭ、１０２４ＱＡＭ、４０９６ＱＡＭ等を用いることが検討されている。また、誤り訂正符号の方式として、テレビジョン放送方式の規格であるＡＲＩＢ  ＳＴＤ−Ｂ４４に記載のＬＤＰＣ（Ｌｏｗ  Ｄｅｎｓｉｔｙ  Ｐａｒｉｔｙ  Ｃｈｅｃｋ）符号を用いることが検討されている（非特許文献１参照）。
【先行技術文献】
【非特許文献】
【０００３】
【非特許文献１】高度広帯域衛星デジタル放送の伝送方式標準規格（ＩＳＤＢ−Ｓ３）、ＡＲＩＢ  ＳＴＤ−Ｂ４４  ２．１版
【発明の開示】
【発明が解決しようとする課題】
【０００４】
しかしながら、ＡＲＩＢ  ＳＴＤ−Ｂ４４では、変調方式としてＱＡＭが規定されておらず、ＬＤＰＣ符号とＱＡＭの組み合わせに適したビットインタリーブ処理が存在しないという課題があった。
【０００５】
そこで、本発明は、次世代のテレビジョン放送素材伝送用の可搬型無線伝送機器においてＱＡＭとＬＤＰＣ符号が適用された場合の適切なビットインタリーブ処理を行うことができる送信装置及び受信装置を提供することを目的とする。
【課題を解決するための手段】
【０００６】
第１の特徴に係る送信装置は、ＬＤＰＣ符号化処理によって生成した符号化ブロックをＱＡＭによって無線で送信する。前記送信装置は、前記符号化ブロックのＬＤＰＣパリティのみに対してインタリーブ処理を行うパリティインタリーブ部と、前記ＬＤＰＣパリティにインタリーブ処理が行われた前記符号化ブロックの全体に対してインタリーブ処理を行うブロックインタリーブ部と、を具備する。前記ブロックインタリーブ部は、前記パリティインタリーブが出力するビット列を、メモリに構成される行列に列方向に書き込む列方向書き込み処理と、列入れ替えテーブルを用いて、前記行列の各列を他の列と入れ替える列入れ替え処理と、前記列入れ替え処理後の行列に含まれる各ビットを行方向に読み出す行方向読み出し処理と、を行う。前記列入れ替えテーブルは、前記列入れ替え処理における元の列番号と入れ替え先列番号との対応関係を規定する。前記ブロックインタリーブ部は、同一の変調多値数についてＬＤＰＣ符号化率ごとに異なる前記列入れ替えテーブルを用いて、前記列入れ替え処理を行う。
【０００７】
第２の特徴に係る受信装置は、ＬＤＰＣ符号化処理によって生成した符号化ブロックをＱＡＭによって無線で送信する送信装置から無線信号を受信する。前記受信装置は、前記符号化ブロックの全体に対してデインタリーブ処理を行うブロックデインタリーブ部と、前記ブロックデインタリーブ部によってデインタリーブ処理が行われた前記符号化ブロックのＬＤＰＣパリティのみに対してデインタリーブ処理を行うパリティデインタリーブ部と、を具備する。前記ブロックデインタリーブ部は、前記符号化ブロックを構成するビット列を、メモリに構成される行列に行方向に書き込む行方向書き込み処理と、列入れ替えテーブルを用いて、前記行列の各列を他の列と入れ替える列入れ替え処理と、前記行列に含まれる各ビットを列方向に読み出す列方向読み出し処理と、を行う。前記列入れ替えテーブルは、前記列入れ替え処理における元の列番号と入れ替え先列番号との対応関係を規定する。前記ブロックデインタリーブ部は、同一の変調多値数についてＬＤＰＣ符号化率ごとに異なる前記列入れ替えテーブルを用いて、前記列入れ替え処理を行う。
【発明の効果】
【０００８】
本発明によれば、次世代のテレビジョン放送素材伝送用の可搬型無線伝送機器においてＱＡＭとＬＤＰＣ符号が適用された場合の適切なビットインタリーブ処理を行うことができる送信装置及び受信装置を提供できる。
【図面の簡単な説明】
【０００９】
【図１】実施形態に係る送信装置を示す図である。
【図２】実施形態に係るＦＥＣブロック（符号化ブロック）を示す図である。
【図３】実施形態に係るビットインタリーブ部を示す図である。
【図４】実施形態に係るパリティインタリーブ処理を示す図である。
【図５】実施形態に係るブロックインタリーブ処理を示す図である。
【図６】実施形態に係る受信装置を示す図である。
【図７】実施形態に係るビットデインタリーブ部を示す図である。
【図８】キャリア変調方式が４０９６ＱＡＭであり、ＬＤＰＣ符号化率が１／２である場合のＢＥＲを、実施形態に係るビットインタリーブ処理を行った場合と、ビットインタリーブ処理を行わなかった場合とを比較して示す図である。
【図９】キャリア変調方式が４０９６ＱＡＭであり、ＬＤＰＣ符号化率が２／３である場合のＢＥＲを、実施形態に係るビットインタリーブ処理を行った場合と、ビットインタリーブ処理を行わなかった場合とを比較して示す図である。
【図１０】キャリア変調方式が４０９６ＱＡＭであり、ＬＤＰＣ符号化率が３／４である場合のＢＥＲを、実施形態に係るビットインタリーブ処理を行った場合と、ビットインタリーブ処理を行わなかった場合とを比較して示す図である。
【図１１】キャリア変調方式が４０９６ＱＡＭであり、ＬＤＰＣ符号化率が５／６である場合のＢＥＲを、実施形態に係るビットインタリーブ処理を行った場合と、ビットインタリーブ処理を行わなかった場合とを比較して示す図である。
【図１２】キャリア変調方式が６４ＱＡＭであり、ＬＤＰＣ符号化率が５／６である場合のＢＥＲを、変更例に係るビットインタリーブ処理を行った場合と、ビットインタリーブ処理を行わなかった場合とを比較して示す図である。
【図１３】キャリア変調方式が２５６ＱＡＭであり、ＬＤＰＣ符号化率が５／６である場合のＢＥＲを、変更例に係るビットインタリーブ処理を行った場合と、ビットインタリーブ処理を行わなかった場合とを比較して示す図である。
【図１４】キャリア変調方式が１０２４ＱＡＭであり、ＬＤＰＣ符号化率が５／６である場合のＢＥＲを、変更例に係るビットインタリーブ処理を行った場合と、ビットインタリーブ処理を行わなかった場合とを比較して示す図である。
【図１５】その他の実施形態に係る送信装置を示す図である。
【図１６】その他の実施形態に係る受信装置を示す図である。
【発明を実施するための形態】
【００１０】
図面を参照して、実施形態に係る無線伝送システムについて説明する。
【００１１】
実施形態に係る無線伝送システムは、上述したような次世代のテレビジョン放送素材伝送用の可搬型無線伝送機器に対応したシステムである。可搬型無線伝送機器は、取材現場等から映像伝送を行うための可搬型の機器である。
【００１２】
実施形態に係る無線伝送システムは、変調方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を用いる。また、実施形態に係る無線伝送システムは、複数本の送信アンテナ及び複数本の受信アンテナを用いるＭＩＭＯ（Ｍｕｌｔｉｐｌｅ−Ｉｎｐｕｔ  ａｎｄ  Ｍｕｌｔｉｐｌｅ−Ｏｕｔｐｕｔ）方式に対応している。
【００１３】
［送信装置］
実施形態に係る送信装置について説明する。実施形態に係る送信装置は、例えば可搬型無線伝送機器に設けられる。
【００１４】
（送信装置の全体構成）
図１は、実施形態に係る送信装置１を示す図である。送信装置１は、図示を省略する２本の送信アンテナを具備する。２本の送信アンテナは、互いに偏波が異なっており、水平偏波と垂直偏波との組み合わせ、又は右旋円偏波と左旋円偏波との組み合わせを用いる。一方の送信アンテナに対応する系統を系統１と称し、他方の送信アンテナに対応する系統を系統２と称する。図２は、実施形態に係るＦＥＣ（Ｆｏｒｗａｒｄ  Ｅｒｒｏｒ  Ｃｏｒｒｅｃｔｉｏｎ）ブロックを示す図である。ＦＥＣブロックは、符号化ブロックの一例である。
【００１５】
図１に示すように、送信装置１は、ＦＥＣブロック構成部１１と、簡易スクランブル部１２と、外符号符号化部１３と、エネルギー拡散部１４と、内符号符号化部１５と、ビットインタリーブ部１６と、２系統の周波数・偏波間インタリーブ部１７ａ及び１７ｂと、２系統の時間インタリーブ部１８ａ及び１８ｂと、２系統のマッピング部１９ａ及び１９ｂと、２系統のＯＦＤＭフレーム構成部２０ａ及び２０ｂと、２系統のＩＦＦＴ（Ｉｎｖｅｒｓｅ  Ｆａｓｔ  Ｆｏｕｒｉｅｒ  Ｔｒａｎｓｆｏｒｍ）部２１ａ及び２１ｂと、２系統の直交変調部２２ａ及び２２ｂと、を具備する。
【００１６】
ＦＥＣブロック構成部１１、簡易スクランブル部１２、外符号符号化部１３、エネルギー拡散部１４、及び内符号符号化部１５は、図２に示すＦＥＣブロックを生成する。ＦＥＣブロックのビット長（すなわち、ＬＤＰＣ符号長）ｎｌｄｐｃは、非特許文献１では４４８８０である。以下では、ＦＥＣブロックのビット長が４４８８０ビット固定である場合について主として説明する。図２に示すＦＥＣブロックはブロックヘッダ及びスタッフビットを具備しているが、ＦＥＣブロックはブロックヘッダ及びスタッフビットを具備していなくてもよい。
【００１７】
ＦＥＣブロック構成部１１は、図示を省略する情報源符号化部から所定パケットが入力され、入力された所定パケットからＦＥＣブロックの主信号部分（データ領域）を構成する。所定パケットは、例えばＴＳ（Ｔｒａｎｓｐｏｒｔ  Ｓｔｒｅａｍ）パケットである。所定パケットがＴＳパケットである場合、ＦＥＣブロック構成部１１は、複数のＴＳパケットをＦＥＣブロックの主信号部分に格納する。ＦＥＣブロック構成部１１は、ＦＥＣブロック（ブロックヘッダ及び主信号部分）を簡易スクランブル部１２に出力する。
【００１８】
簡易スクランブル部１２は、ＦＥＣブロック構成部１１から入力されたＦＥＣブロック（ブロックヘッダ及び主信号部分）に対してスクランブル処理を行う。例えば、簡易スクランブル部１２は、１６ビットの疑似ランダム系列を加算する簡易なスクランブル方式を用いるように構成されていてもよい。なお、送信装置１は、簡易スクランブル部１２を具備していなくてもよい。
【００１９】
外符号符号化部１３は、簡易スクランブル部１２によってスクランブル処理が行われたＦＥＣブロック（ブロックヘッダ及び主信号部分）に対して、外符号を用いた誤り訂正符号化処理を行う。例えば、外符号符号化部１３は、外符号としてＢＣＨの短縮符号を用いるように構成されていてもよい。外符号符号化部１３は、外符号を用いた誤り訂正符号化処理後のＦＥＣブロック（ブロックヘッダ、主信号部分、ＢＣＨパリティ、及びスタッフビット）を出力する。
【００２０】
エネルギー拡散部１４は、外符号符号化部１３から入力されたＦＥＣブロック（ブロックヘッダ、主信号部分、ＢＣＨパリティ、及びスタッフビット）に対してエネルギー拡散処理を行う。例えば、エネルギー拡散部１４は、擬似ランダムビット系列と拡散対象（ＦＥＣブロック）との排他的論理和によりエネルギー拡散処理を行う。
【００２１】
内符号符号化部１５は、エネルギー拡散部１４から入力されたＦＥＣブロック（ブロックヘッダ、主信号部分、ＢＣＨパリティ、及びスタッフビット）に対して、内符号を用いた誤り訂正符号化処理を行う。内符号符号化部１５は、内符号として、ＡＲＩＢ  ＳＴＤ−Ｂ４４で規定されるようなＬＤＰＣ符号を用いる。例えば、内符号符号化部１５は、６１／１２０、８１／１２０、８９／１２０、及び１０１／１２０の４種類の中から選択されたＬＤＰＣ符号化率によってＬＤＰＣ符号化処理を行う。４種類の符号化率において、６１／１２０の近似値は１／２であり、８１／１２０の近似値は２／３であり、８１／１２０の近似値は３／４であり、１０１／１２０の近似値は５／６である。以下では、これらの近似値を真値と同一のものとみなし、近似値による表現を主として用いる。
【００２２】
内符号符号化部１５は、図２に示すＦＥＣブロックを出力する。具体的には、内符号符号化部１５は、エネルギー拡散部１４から入力されたＦＥＣブロックのブロックヘッダ、主信号部分、ＢＣＨパリティ、及びスタッフビットに対してＬＤＰＣパリティ（内符号パリティ部分）を付加して出力する。
【００２３】
ビットインタリーブ部１６は、内符号符号化部１５から入力されたＦＥＣブロックに対して、ビットの並びを入れ替えるビットインタリーブ処理を行う。ビットインタリーブ部１６の詳細については後述する。ビットインタリーブ部１６は、ＦＥＣブロックごとにビットインタリーブ処理を行い、２系統の周波数・偏波間インタリーブ部１７ａ及び１７ｂに分配して出力する。例えば、ビットインタリーブ部１６は、ＦＥＣブロックを分配の単位として、ＦＥＣブロックを２系統の周波数・偏波間インタリーブ部１７ａ及び１７ｂに交互に出力する。
【００２４】
送信装置１において系統１及び２は同様の構成を有するため、以下では、系統１及び２を代表して系統１の構成について説明する。また、以下の送信装置１の説明において、系統１及び２を特に区別しないときは、参照符号における「ａ」及び「ｂ」の表記を省略している。
【００２５】
周波数・偏波間インタリーブ部１７ａは、ビットインタリーブ部１６から入力されたＦＥＣブロックに対して、周波数・偏波間インタリーブ処理を行う。例えば、周波数・偏波間インタリーブ部１７ａは、ＦＥＣブロック（シリアルビット列）を変調多値数に応じてパラレル変換し、データキャリア番号順にデータキャリアに割り当て、データキャリアの並びを入れ替える。
【００２６】
時間インタリーブ部１８ａは、周波数・偏波間インタリーブ部１７ａから入力されたデータ（パラレルビット列）に対して、データキャリアごとに異なる遅延時間を与えるように時間インタリーブ処理を行う。時間インタリーブ部１８ａは、時間インタリーブ処理として畳み込みインタリーブ処理を行うように構成されていてもよい。
【００２７】
マッピング部１９ａは、時間インタリーブ部１８ａから入力されたデータをデータキャリアにマッピングする。具体的には、マッピング部１９ａは、キャリア変調方式の種類に対応するテーブルに従って、各信号点（シンボル）のＩ軸上の配置及びＱ軸上の配置を決定する。マッピング部１９ａは、均一コンスタレーション（Ｕｎｉｆｏｒｍ  Ｃｏｎｓｔｅｌｌａｔｉｏｎ）を用いるＱＡＭを適用してマッピング処理を行う。かかる場合、ＱＡＭの信号点が均一に配置される。例えば、ＥＴＳＩ−ＥＮ３０２７６９の第６．２．２節の「Ｃｅｌｌ  ｗｏｒｄ  ｍａｐｐｉｎｇ  ｉｎｔｏ  Ｉ／Ｏ  ｃｏｎｓｔｅｌｌａｔｉｏｎｓ」のグレイ・コード配置が用いられる均一コンスタレーションを適用できる。
【００２８】
各キャリア変調方式では、１つのシンボルを構成するビット数が異なる。１６ＱＡＭにおける1シンボルを構成するビット数は「４」であり、６４ＱＡＭにおける1シンボルを構成するビット数は「６」であり、２５６ＱＡＭにおける1シンボルを構成するビット数は「８」であり、１０２４ＱＡＭにおける1シンボルを構成するビット数は「１０」であり、４０９６ＱＡＭにおける1シンボルを構成するビット数は「１２」である。以下では、キャリア変調方式として４０９６ＱＡＭを用いる場合について主として説明する。
【００２９】
ＯＦＤＭフレーム構成部２０ａは、マッピング部１９ａから入力されたデータ、具体的には、データがマッピングされたデータキャリアに、ＣＰ（Ｃｏｎｔｉｎｕａｌ  Ｐｉｌｏｔ）、ＳＰ（Ｓｃａｔｔｅｒｅｄ  Ｐｉｌｏｔ）、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）、及びＡＣ（Ａｕｘｉｌｉａｒｙ  Ｃｈａｎｎｅｌ）等を併せてＯＦＤＭフレームを構成する。
【００３０】
ＩＦＦＴ部２１ａは、ＯＦＤＭフレーム構成部２０ａから入力されたＯＦＤＭフレームに対してＩＦＦＴを施してＯＦＤＭ信号を出力する。
【００３１】
直交変調部２２ａは、ＩＦＦＴ部２０ａから入力されたＯＦＤＭ信号に対して直交変調処理を施し、図示を省略する送信高周波部に出力する。送信高周波部は、ＩＦ信号であるＯＦＤＭ信号をＲＦ帯に変換して出力する。
【００３２】
（ビットインタリーブ部）
図３は、ビットインタリーブ部１６を示す図である。図４は、パリティインタリーブ処理を示す図である。図５は、ブロックインタリーブ処理を示す図である。
【００３３】
図３に示すように、ビットインタリーブ部１６は、パリティインタリーブ部１６１と、ブロックインタリーブ部１６２とを具備する。
【００３４】
パリティインタリーブ部１６１は、図４に示すように、内符号符号化部１５から入力されたＦＥＣブロックのＬＤＰＣパリティのみに対してインタリーブ処理を行うことにより、ＬＤＰＣパリティについてビットを並び替える。具体的には、パリティインタリーブ部１６１は、ＬＤＰＣパリティを、図示を省略するメモリに構成される行列に列方向に書き込んだ後、この行列に含まれる各ビットを行方向に読み出す。
【００３５】
図４において、行列の列数（並列処理数）を示すパラメータＭは、非特許文献１では３７４である。また、行列の行数を示すパラメータｑは、ＬＤＰＣ符号化率に応じて決まる定数であって、非特許文献１では１６頁に示される値であり、符号化率１／２（真値は６１／１２０）では５９、符号化率２／３（真値は８１／１２０）では３９、符号化率３／４（８９／１２０）では３１、符号化率５／６（真値は１０１／１２０）では１９である。
【００３６】
パリティインタリーブ部１６１によるパリティインタリーブ処理は、次のように表現することもできる。内符号符号化部１５から入力されたＦＥＣブロックを構成するビット列を
【００３７】
【数１】
2019121935.tif 000003
【００３８】
と表し、パリティインタリーブ部１６１の出力ビット列を
【００３９】
【数２】
2019121935.tif 000004
【００４０】
と表すと、パリティインタリーブ部１６１におけるビットの並び替えは次式で表される。
【００４１】
【数３】
2019121935.tif 000005
【００４２】
ここで、「ｎｌｄｐｃ」はＦＥＣブロックのビット長（ＬＤＰＣ符号長）であり、「ｋｌｄｐｃ」はｎｌｄｐｃからＬＤＰＣパリティのビット長ｐｌｄｐｃを除いた部分のビット長である（図２参照）。
【００４３】
ブロックインタリーブ部１６２は、パリティインタリーブ部１６１によってＬＤＰＣパリティにインタリーブ処理が行われたＦＥＣブロックの全体に対してインタリーブ処理を行うことにより、ＦＥＣブロック全体についてビットを並び替える。具体的には、ブロックインタリーブ部１６２は、図５に示すように、パリティインタリーブ部１６１が出力するビット列を、図示を省略するメモリに構成される行列に列方向に書き込む列方向書き込み処理（図５（ａ））と、行列の列数を増加させる列数変更処理（図５（ｂ））と、列入れ替えテーブルを用いて、列数変更処理後の行列の各列を他の列と入れ替える列入れ替え処理（図５（ｃ））と、列入れ替え処理後の行列に含まれる各ビットを行方向に読み出す行方向読み出し処理（図５（ｄ））と、を行う。
【００４４】
図５（ａ）に示すように、ブロックインタリーブ部１６２は、（ｎｌｄｐｃ／Ｌ）行Ｌ列の行列にＦＥＣブロックを列方向に書き込む。ここで「Ｌ」は、ｌｏｇ２（変調多値数）であり、４０９６ＱＡＭの場合は変調多値数が４０９６であるので「Ｌ」は「１２」である。具体的には、ＦＥＣブロックの最上位ビット（ＭＳＢ：Ｍｏｓｔ  Ｓｉｇｎｉｆｉｃａｎｔ  Ｂｉｔ）が０番目の列の０番目の行に書き込まれる。ＦＥＣブロックの（ｎｌｄｐｃ／Ｌ）ビット単位で、ビットを書き込む列が切り替えられる。
【００４５】
図５（ｂ）に示すように、ブロックインタリーブ部１６２は、Ｎ個の行ごとにグルーピングを行い、グループ内の一部の行を列方向に移動して各グループを１個の行に変換する。ここで「Ｎ」は、例えば２である。「Ｎ」が２である場合、ブロックインタリーブ部１６２は、０番目の行と１番目の行とをグルーピングし、１番目の行を列方向に移動し、０番目の行の隣に配置する。同様にして、ブロックインタリーブ部１６２は、２番目の行と３番目の行とをグルーピングし、３番目の行を列方向に移動し、２番目の行の隣に配置する。かかる処理を最後の行まで行うことにより、行数が１／２に減少し、列数が２倍に増加する。こののようにして、｛ｎｌｄｐｃ／（Ｌ／Ｎ）｝行ＬＮ列の行列が再構成される。列数を増加させることにより、列入れ替え処理における入れ替えの選択肢（バリエーション）を増やすことができる。
【００４６】
図５（ｃ）に示すように、ブロックインタリーブ部１６２は、列入れ替えテーブルを用いて、列数変更処理後の行列の各列を他の列と入れ替える。列入れ替えテーブルは、元の列番号と入れ替え先列番号との対応関係を規定する。ブロックインタリーブ部１６２は、同一の変調多値数についてＬＤＰＣ符号化率ごとに異なる列入れ替えテーブルを用いて、列入れ替え処理を行う。
【００４７】
具体的には、ブロックインタリーブ部１６２は、マッピング部１９が４０９６ＱＡＭを用い、かつ、内符号符号化部１５が用いるＬＤＰＣ符号化率が１／２である場合に、表１のテーブルを用いて列入れ替え処理を行う。
【００４８】
【表１】
2019121935.tif 000006
【００４９】
ブロックインタリーブ部１６２は、マッピング部１９が４０９６ＱＡＭを用い、かつ、内符号符号化部１５が用いるＬＤＰＣ符号化率が２／３である場合に、表２のテーブルを用いて列入れ替え処理を行う。
【００５０】
【表２】
2019121935.tif 000007
【００５１】
ブロックインタリーブ部１６２は、マッピング部１９が４０９６ＱＡＭを用い、かつ、内符号符号化部１５が用いるＬＤＰＣ符号化率が３／４である場合に、表３のテーブルを用いて列入れ替え処理を行う。
【００５２】
【表３】
2019121935.tif 000008
【００５３】
ブロックインタリーブ部１６２は、マッピング部１９が４０９６ＱＡＭを用い、かつ、内符号符号化部１５が用いるＬＤＰＣ符号化率が５／６である場合に、表４のテーブルを用いて列入れ替え処理を行う。
【００５４】
【表４】
2019121935.tif 000009
【００５５】
このように、列入れ替えテーブルは、ＬＤＰＣ符号化率ごとに個別に最適化されている。かかる列入れ替えテーブルを用いることで得られる効果の詳細については後述する。
【００５６】
図５（ｄ）に示すように、ブロックインタリーブ部１６２は、列入れ替え処理後の行列に含まれる各ビットを行方向に読み出す。具体的には、ラスタスキャンと同様な方法で各ビットを行方向に読み出し、シリアルビット列として出力する。
【００５７】
上述のブロックインタリーブ処理は、以下のように表現することもできる。
【００５８】
第１に、パリティインタリーブ部１６１の出力ビット列を
【００５９】
【数４】
2019121935.tif 000010
【００６０】
と表すと、この出力ビット列は、列方向書き込み処理において、次式で表される列番号ｃ０ｉ、行番号ｒ０ｉのメモリ位置に書き込まれる。
【００６１】
【数５】
2019121935.tif 000011
【００６２】
第２に、列数変更処理では、列番号ｃ０ｉ、行番号ｒ０ｉのビットを、次式で表される列番号ｃ１ｉ、行番号ｒ１ｉに変更する。
【００６３】
【数６】
2019121935.tif 000012
【００６４】
第３に、列入れ替え処理では、次式で表されるように、列番号ｃ１ｉのビット列を関数ｆ（列入れ替えテーブル）で表される列番号ｃ２ｉに変更する。
【００６５】
【数７】
2019121935.tif 000013
【００６６】
第４に、行方向読み出し処理では、読み出し後のシリアルビット列を
【００６７】
【数８】
2019121935.tif 000014
【００６８】
と表すと、インデックスｊのビットに、次式で表される列番号ｃ２ｊ、行番号ｒ２ｊのビットを割り当てる。
【００６９】
【数９】
2019121935.tif 000015
【００７０】
［受信装置］
実施形態に係る受信装置について説明する。実施形態に係る受信装置は、例えば放送局又は受信基地局等に設けられる。
【００７１】
（受信装置の全体構成）
図６は、実施形態に係る受信装置３を示す図である。受信装置３は、図示を省略する２本の受信アンテナを具備する。２本の受信アンテナは、互いに偏波が異なっており、水平偏波と垂直偏波との組み合わせ、又は右旋円偏波と左旋円偏波との組み合わせを用いる。一方の受信アンテナに対応する系統を系統１と称し、他方の受信アンテナに対応する系統を系統２と称する。
【００７２】
図６に示すように、受信装置３は、図１に示す送信装置１が行う処理とは逆の処理を行う。具体的には、受信装置３は、２系統の復調部３１ａ及び３１ｂと、２系統のＦＦＴ部３２ａ及び３２ｂと、２系統のデフレーム化部３３ａ及び３３ｂと、２系統のデマッピング部３４ａ及び３４ｂと、２系統の時間デインタリーブ部３５ａ及び３５ｂと、２系統の周波数・偏波間デインタリーブ部３６ａ及び３６ｂと、ビットデインタリーブ部３７と、内符号復号部３８と、エネルギー逆拡散部３９と、外符号復号部４０と、簡易デスクランブル部４１と、ＦＥＣブロック分離部４２と、を具備する。
【００７３】
受信装置３において系統１及び２は同様の構成を有するため、以下では、系統１及び２を代表して系統１の構成について説明する。また、以下の受信装置３の説明において、系統１及び２を特に区別しないときは、参照符号における「ａ」及び「ｂ」の表記を省略している。
【００７４】
復調部３１ａは、図示を省略する受信高周波部から入力されたＯＦＤＭ信号に対して復調処理を行う。なお、受信高周波部は、送信装置１から受信した無線信号をＩＦ帯に変換することによりＯＦＤＭ信号（ＩＦ信号）を復調部３１ａに出力する。
【００７５】
ＦＦＴ部３２ａは、復調部３１ａから入力されたＯＦＤＭ信号に対してＦＦＴを行い、ＯＦＤＭフレームを出力する。
【００７６】
デフレーム化部３３ａは、ＦＦＴ部３２ａから入力されたＯＦＤＭフレームに対してデフレーム化処理を行い、データ（シンボル）を出力する。
【００７７】
デマッピング部３４ａは、上述のマッピング部１１ａと同様に、キャリア変調方式の種類に対応するテーブルに従って、各信号点（シンボル）のＩ軸上の配置及びＱ軸上の配置から、誤り訂正符号の復号に必要な情報（ビットの尤度等）を決定する。
【００７８】
時間デインタリーブ部３５ａは、デマッピング部３４ａから入力されたデータに対して、時間インタリーブ部１８ａで行われた時間インタリーブ処理に対応する時間デインタリーブ処理を行う。
【００７９】
周波数・偏波間デインタリーブ部３６ａは、時間デインタリーブ部３５ａから入力されたデータに対して、周波数・偏波間インタリーブ部１７ａで行われた周波数・偏波間インタリーブ処理に対応する周波数・偏波間デインタリーブ処理を行う。
【００８０】
ビットデインタリーブ部３７は、周波数・偏波間デインタリーブ部３６ａから入力されたデータ（ＦＥＣブロック）に対して、ビットインタリーブ部１６ａで行われたビットインタリーブ処理に対応するビットデインタリーブ処理を行う。ビットデインタリーブ部３７の詳細については後述する。
【００８１】
内符号復号部３８は、ビットデインタリーブ部３７から入力されたＦＥＣブロックに対して、内符号符号化部１５で行われた誤り訂正符号化処理に対応する復号処理を行う。
【００８２】
エネルギー逆拡散部３９は、内符号復号部３８から入力されたＦＥＣブロックに対して、エネルギー拡散部１４で行われたエネルギー拡散処理に対応するエネルギー逆拡散処理を行う。
【００８３】
外符号復号部４０は、エネルギー逆拡散部３９から入力されたＦＥＣブロックに対して、外符号符号化部１３で行われた誤り訂正符号化処理に対応する復号処理を行う。
【００８４】
簡易デスクランブル部４１は、外符号復号部４０から入力されたＦＥＣブロックに対して、簡易スクランブル部１２で行われたスクランブル処理に対応するデスクランブル処理を行う。なお、送信装置１が、簡易スクランブル部１２を具備していない場合、受信装置３は、簡易デスクランブル部４１を具備していなくてもよい。
【００８５】
ＦＥＣブロック分離部４２は、簡易デスクランブル部４１から入力されたＦＥＣブロックの中の主信号部分を分離する。
【００８６】
（ビットデインタリーブ部）
図７は、ビットデインタリーブ部３７を示す図である。
【００８７】
図７に示すように、ビットデインタリーブ部３７は、ブロックデインタリーブ部３７１と、パリティデインタリーブ部３７２とを具備する。
【００８８】
ブロックデインタリーブ部３７１は、周波数・偏波間デインタリーブ部３６から入力されたＦＥＣブロックの全体に対して、ブロックインタリーブ部１６２で行われたインタリーブ処理に対応するデインタリーブ処理を行う。具体的には、ブロックデインタリーブ部３７１は、ＦＥＣブロックを構成するビット列を、メモリに構成される行列に行方向に書き込む行方向書き込み処理と、列入れ替えテーブルを用いて、行列の各列を他の列と入れ替える列入れ替え処理と、列入れ替え処理後の行列の列数を減少させる列数変更処理と、列数変更処理後の行列に含まれる各ビットを列方向に読み出す列方向読み出し処理と、を行う。列入れ替えテーブルは、列入れ替え処理における元の列番号と入れ替え先列番号との対応関係を規定する。ブロックデインタリーブ部３７１は、同一の変調多値数についてＬＤＰＣ符号化率ごとに異なる列入れ替えテーブルを用いて、列入れ替え処理を行う。
【００８９】
具体的には、ブロックデインタリーブ部３７１は、デマッピング部３４が４０９６ＱＡＭを用い、かつ、内符号復号部３８が用いるＬＤＰＣ符号化率が１／２である場合に、表５のテーブルを用いて列入れ替え処理を行う。
【００９０】
【表５】
2019121935.tif 000016
【００９１】
ブロックデインタリーブ部３７１は、デマッピング部３４が４０９６ＱＡＭを用い、かつ、内符号復号部３８が用いるＬＤＰＣ符号化率が２／３である場合に、表６のテーブルを用いて列入れ替え処理を行う。
【００９２】
【表６】
2019121935.tif 000017
【００９３】
ブロックデインタリーブ部３７１は、デマッピング部３４が４０９６ＱＡＭを用い、かつ、内符号復号部３８が用いるＬＤＰＣ符号化率が３／４である場合に、表７のテーブルを用いて列入れ替え処理を行う。
【００９４】
【表７】
2019121935.tif 000018
【００９５】
ブロックデインタリーブ部３７１は、デマッピング部３４が４０９６ＱＡＭを用い、かつ、内符号復号部３８が用いるＬＤＰＣ符号化率が５／６である場合に、表８のテーブルを用いて列入れ替え処理を行う。
【００９６】
【表８】
2019121935.tif 000019
【００９７】
パリティデインタリーブ部３７２は、ブロックインタリーブ３５２から出力されたＦＥＣブロックのＬＤＰＣパリティのみに対して、パリティインタリーブ部１６１で行われたインタリーブ処理に対応するデインタリーブ処理を行う。
【００９８】
［実施形態のまとめ］
送信装置１は、ＬＤＰＣ符号化処理によって生成したＦＥＣブロックをＱＡＭによって無線で送信する。送信装置１は、ＦＥＣブロックのＬＤＰＣパリティのみに対してインタリーブ処理を行うパリティインタリーブ部１６１と、ＬＤＰＣパリティにインタリーブ処理が行われたＦＥＣブロックの全体に対してインタリーブ処理を行うブロックインタリーブ部１６２と、を具備する。ブロックインタリーブ部１６２は、パリティインタリーブ部が出力するビット列を、メモリに構成される行列に列方向に書き込む列方向書き込み処理と、行列の列数を増加させる列数変更処理と、列入れ替えテーブルを用いて、列数変更処理後の行列の各列を他の列と入れ替える列入れ替え処理と、列入れ替え処理後の行列に含まれる各ビットを行方向に読み出す行方向読み出し処理と、を行う。列入れ替えテーブルは、列入れ替え処理における元の列番号と入れ替え先列番号との対応関係を規定する。ブロックインタリーブ部１６２は、同一の変調多値数についてＬＤＰＣ符号化率ごとに異なる列入れ替えテーブルを用いて、列入れ替え処理を行う。
【００９９】
受信装置３は、ＬＤＰＣ符号化処理によって生成したＦＥＣブロックをＱＡＭによって無線で送信する送信装置１から無線信号を受信する。受信装置３は、ＦＥＣブロックの全体に対してデインタリーブ処理を行うブロックデインタリーブ部３７１と、ブロックデインタリーブ部３７１によってデインタリーブ処理が行われたＦＥＣブロックのＬＤＰＣパリティのみに対してデインタリーブ処理を行うパリティデインタリーブ部３７２と、を具備する。ブロックデインタリーブ部３７１は、ＦＥＣブロックを構成するビット列を、メモリに構成される行列に行方向に書き込む行方向書き込み処理と、列入れ替えテーブルを用いて、行列の各列を他の列と入れ替える列入れ替え処理と、列入れ替え処理後の行列の列数を減少させる列数変更処理と、列数変更処理後の行列に含まれる各ビットを列方向に読み出す列方向読み出し処理と、を行う。列入れ替えテーブルは、列入れ替え処理における元の列番号と入れ替え先列番号との対応関係を規定する。ブロックデインタリーブ部３７１は、同一の変調多値数についてＬＤＰＣ符号化率ごとに異なる列入れ替えテーブルを用いて、列入れ替え処理を行う。
【０１００】
これにより、次世代のテレビジョン放送素材伝送用の可搬型無線伝送機器においてＬＤＰＣ符号とＱＡＭが適用された場合の適切なビットインタリーブ処理を行うことができる送信装置１及び受信装置３を提供できる。
【０１０１】
次に、上述の列入れ替えテーブルを用いたビットインタリーブ処理により得られる効果の詳細について説明する。具体的には、ＡＲＩＢ  ＳＴＤ−Ｂ４４で規定された内符号符号化方式を適用した場合において、実施形態に係る送信装置１及び受信装置３を含む伝送システムのビット誤り率（Ｂｉｔ  Ｅｒｒｏｒ  Ｒａｔｅ：ＢＥＲ）の改善効果を、シミュレーション結果を用いて説明する。
【０１０２】
図８に、キャリア変調方式が４０９６ＱＡＭであり、ＬＤＰＣ符号化率が１／２である場合のＢＥＲを、上述の列入れ替えテーブルを用いてビットインタリーブ処理を行った場合と、ビットインタリーブ処理を行わなかった場合とを比較して示す。
【０１０３】
図９に、キャリア変調方式が４０９６ＱＡＭであり、ＬＤＰＣ符号化率が２／３である場合のＢＥＲを、上述の列入れ替えテーブルを用いてビットインタリーブ処理を行った場合と、ビットインタリーブ処理を行わなかった場合とを比較して示す。
【０１０４】
図１０に、キャリア変調方式が４０９６ＱＡＭであり、ＬＤＰＣ符号化率が３／４である場合のＢＥＲを、上述の列入れ替えテーブルを用いてビットインタリーブ処理を行った場合と、ビットインタリーブ処理を行わなかった場合とを比較して示す。
【０１０５】
図１１に、キャリア変調方式が４０９６ＱＡＭであり、ＬＤＰＣ符号化率が５／６である場合のＢＥＲを、上述の列入れ替えテーブルを用いてビットインタリーブ処理を行った場合と、ビットインタリーブ処理を行わなかった場合とを比較して示す。
【０１０６】
図８〜図１１に示すように、実施形態に係るビットインタリーブ処理を用いた伝送システムのＢＥＲ（実線）は、実施形態に係るビットインタリーブ処理を用いない場合（点線）と比べて、ＢＥＲが１Ｅ−７となる所要Ｃ／Ｎ（搬送波電力対雑音電力比）が小さくなっており、伝送特性が改善されていることが分かる。
【０１０７】
［変更例］
上述の実施形態では、キャリア変調方式が４０９６ＱＡＭである一例について説明した。しかしながら、４０９６ＱＡＭ以外のＱＡＭを用いてもよい。
【０１０８】
変更例では、１）キャリア変調方式が６４ＱＡＭであり、ＬＤＰＣ符号化率が５／６である場合と、２）キャリア変調方式が２５６ＱＡＭであり、ＬＤＰＣ符号化率が５／６である場合と、３）キャリア変調方式が１０２４ＱＡＭであり、ＬＤＰＣ符号化率が５／６である場合と、について説明する。
【０１０９】
キャリア変調方式が６４ＱＡＭであり、ＬＤＰＣ符号化率が５／６である場合、ビットインタリーブ部１６は、図５に示すパラメータをＬ＝６、Ｎ＝２として、表９の列入れ替えテーブルを用いてインタリーブ処理を行う。ビットデインタリーブ部３７は、かかるインタリーブ処理に対応するデインタリーブ処理を行う。
【０１１０】
【表９】
2019121935.tif 000020
【０１１１】
図１２に、キャリア変調方式が６４ＱＡＭであり、ＬＤＰＣ符号化率が５／６である場合のＢＥＲを、表９の列入れ替えテーブルを用いてビットインタリーブ処理を行った場合と、ビットインタリーブ処理を行わなかった場合とを比較して示す。
【０１１２】
キャリア変調方式が２５６ＱＡＭであり、ＬＤＰＣ符号化率が５／６である場合、ビットインタリーブ部１６は、図５に示すパラメータをＬ＝８、Ｎ＝３として、表１０の列入れ替えテーブルを用いてインタリーブ処理を行う。ビットデインタリーブ部３７は、かかるインタリーブ処理に対応するデインタリーブ処理を行う。
【０１１３】
【表１０】
2019121935.tif 000021
【０１１４】
図１３に、キャリア変調方式が２５６ＱＡＭであり、ＬＤＰＣ符号化率が５／６である場合のＢＥＲを、表１０の列入れ替えテーブルを用いてビットインタリーブ処理を行った場合と、ビットインタリーブ処理を行わなかった場合とを比較して示す。
【０１１５】
キャリア変調方式が１０２４ＱＡＭであり、ＬＤＰＣ符号化率が５／６である場合、ビットインタリーブ部１６は、図５に示すパラメータをＬ＝１０、Ｎ＝２として、表１１の列入れ替えテーブルを用いてインタリーブ処理を行う。ビットデインタリーブ部３７は、かかるインタリーブ処理に対応するデインタリーブ処理を行う。
【０１１６】
【表１１】
2019121935.tif 000022
【０１１７】
図１４に、キャリア変調方式が１０２４ＱＡＭであり、ＬＤＰＣ符号化率が５／６である場合のＢＥＲを、表１１の列入れ替えテーブルを用いてビットインタリーブ処理を行った場合と、ビットインタリーブ処理を行わなかった場合とを比較して示す。
【０１１８】
図１２〜図１４に示すように、変更例に係るビットインタリーブ処理を用いた伝送システムのＢＥＲ（実線）は、変更例に係るビットインタリーブ処理を用いない場合（点線）と比べて、ＢＥＲが１Ｅ−７となる所要Ｃ／Ｎ（搬送波電力対雑音電力比）が小さくなっており、伝送特性が改善されていることが分かる。
【０１１９】
［その他の実施形態］
上記のように実施形態について記載したが、この開示の一部をなす論述及び図面はこの発明を限定するものであると理解すべきではない。この開示から当業者には様々な代替実施形態、実施例及び運用技術が明らかとなる。
【０１２０】
上述の実施形態では、ブロックインタリーブ部１６２が、列方向書き込み処理（図５（ａ））と、列数変更処理（図５（ｂ））と、列入れ替え処理（図５（ｃ））と、行方向読み出し処理（図５（ｄ））と、を行う一例について説明した。しかしながら、実施形態に係るビットインタリーブ処理は、図５に示す手順に限定されるものではない。結果的に図５の処理と同じビットの並び替えを行うことができれば、図５の手順と等価的な手順を用いることが可能である。なお、ブロックデインタリーブ部３７１についても同様である。
【０１２１】
上述の実施形態では、複数本の送信アンテナ及び複数本の受信アンテナによるＭＩＭＯが適用されている場合について説明したが、本発明は、かかる場合に限定されることはなく、１本の送信アンテナ及び１本の受信アンテナによるＳＩＳＯ（Ｓｉｎｇｌｅ−Ｉｎｐｕｔ  ａｎｄ  Ｓｉｎｇｌｅ−Ｏｕｔｐｕｔ）が適用されている場合等にも適用可能である。図１５に、ＳＩＳＯ方式を用いる場合の送信装置１を示し、図１６に、ＳＩＳＯ方式を用いる場合の受信装置３を示す。図１５及び図１６に示すように、ＳＩＳＯ方式を用いる場合には、上述の実施形態のような２系統の構成に代えて１系統の構成が適用される。１系統の構成の送信装置１は、図１に示す周波数・偏波間インタリーブ部１７ａ及び１７ｂに代えて、図１５に示すように、周波数インタリーブ部１７ｃを備える。周波数インタリーブ部１７ｃは、ビットインタリーブ部１６から入力されたＦＥＣブロックに対して周波数インタリーブ処理を行う。また、１系統の構成の受信装置３は、図６に示す周波数・偏波間デインタリーブ部３６ａ及び３６ｂに代えて、図１６に示すように、周波数デインタリーブ部３６ｃを備える。周波数デインタリーブ部３６ｃは、時間デインタリーブ部３５から入力されたデータに対して、周波数インタリーブ部１７ｃで行われた周波数インタリーブ処理に対応する周波数デインタリーブ処理を行う。その他の各ブロックの機能については、２系統の構成と同様である。
【０１２２】
上述の実施形態では、次世代のテレビジョン放送素材伝送用の可搬型無線伝送機器に対応したシステムについて説明したが、本発明は、かかる場合に限定されることはなく、可搬型無線伝送機器を用いない無線伝送システムにも適用可能である。かかる無線伝送システムにおいて、送信装置１は放送局に設けられてもよいし、受信装置３はテレビジョン受像機に設けられてもよい。
【０１２３】
上述の実施形態では特に触れていないが、上述の送信装置１及び受信装置３によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。また、上述の送信装置１及び受信装置３内の少なくとも一部の機能を実現するためのプログラムを記憶するメモリ及びメモリに記憶されたプログラムを行うプロセッサによって構成されるチップが提供されてもよい。
【符号の説明】
【０１２４】
１・・・送信装置、１１・・・ＦＥＣブロック構成部、１２・・・簡易スクランブル部、１３・・・外符号符号化部、１４・・・エネルギー拡散部、１５・・・内符号符号化部、１６・・・ビットインタリーブ部、１７ａ，１７ｂ・・・周波数・偏波間インタリーブ部、１７ｃ・・・周波数インタリーブ部、１８ａ，１８ｂ・・・時間インタリーブ部、１９ａ，１９ｂ・・・マッピング部、２０ａ，２０ｂ・・・ＯＦＤＭフレーム構成部、２１ａ，２１ｂ・・・ＩＦＦＴ部、２２ａ，２２ｂ・・・直交変調部、１６１・・・パリティインタリーブ部、１６２・・・ブロックインタリーブ部、３・・・受信装置、３１ａ，３１ｂ・・・復調部、３２ａ，３２ｂ・・・ＦＦＴ部、３３ａ，３３ｂ・・・デフレーム化部、３４ａ，３４ｂ・・・デマッピング部、３５ａ，３５ｂ・・・時間デインタリーブ部、３６ａ，３６ｂ・・・周波数・偏波間デインタリーブ部、３６ｃ・・・周波数デインタリーブ部、３７・・・ビットデインタリーブ部、３８・・・内符号復号部、３９・・・エネルギー逆拡散部、４０・・・外符号復号部、４１・・・簡易デスクランブル部、４２・・・ＦＥＣブロック分離部、３７１・・・ブロックデインタリーブ部、３７２・・・パリティデインタリーブ部
【図１】
2019121935.tif 000031
【図２】
2019121935.tif 000032
【図３】
2019121935.tif 000033
【図４】
2019121935.tif 000034
【図５】
2019121935.tif 000035
【図６】
2019121935.tif 000036
【図７】
2019121935.tif 000037
【図８】
2019121935.tif 000038
【図９】
2019121935.tif 000039
【図１０】
2019121935.tif 000040
【図１１】
2019121935.tif 000041
【図１２】
2019121935.tif 000042
【図１３】
2019121935.tif 000043
【図１４】
2019121935.tif 000044
【図１５】
2019121935.tif 000045
【図１６】
2019121935.tif 000046